(57)【要約】【課題】シャーシベッドが装着されたプラズマ表示装置を提供すること。【解決手段】画像を表示するパネルと、パネルに結合されてパネルを支持するシャーシベースと、パネルの電極に所定の信号を印加するための回路基板と、パネルの電極と回路基板との電気的連結のために設置され、少なくとも一つの回路素子が実装された信号伝達手段と、信号伝達手段を支持するシャーシベッドと、を備え、シャーシベッドには、信号伝達手段に装着された回路素子から発生する熱を循環させるのに適した少なくとも一つの第１の換気口が形成されていることを特徴とするプラズマ表示装置。これにより、ＴＣＰＩＣの回路素子から発生した熱がさらに効率的に放出されることによって、プラズマ表示装置の最大の問題点の一つであるＴＣＰ ＩＣなどの回路素子の過度発熱問題を解決して、前記回路素子の安定した作動を確保できる。【選択図】図２
2006189865.tif 000002
【特許請求の範囲】
【請求項１】
プラズマ放電を利用して画像を表示するパネルと、
前記パネルに結合されて前記パネルを支持するシャーシベースと、
前記パネルの電極に所定の信号を印加するための回路基板と、
前記パネルの電極と前記回路基板との電気的連結のために設置され、少なくとも一つの回路素子が実装された信号伝達手段と、
前記信号伝達手段を支持するシャーシベッドと、を備え、
前記シャーシベッドには、前記信号伝達手段に装着された回路素子から発生する熱を循環させるのに適した少なくとも一つの第１の換気口が形成されていることを特徴とするプラズマ表示装置。
【請求項２】
前記シャーシベッドと結合されて密閉空間を形成するシャーシベースの一部分に少なくとも一つの第２換気口が形成されて、第１換気口及び第２換気口を貫通して空気が流動するように構成されることを特徴とする、請求項１に記載のプラズマ表示装置。
【請求項３】
前記第１の換気口を通る空気が、前記回路基板と前記シャーシベースとの間に流動するように、前記換気口が方向づけられたことを特徴とする、請求項１に記載のプラズマ表示装置。
【請求項４】
前記回路基板上に少なくとも一つの第３換気口が形成されて、前記回路基板と前記シャーシベースとの間の空気が、前記第３換気口を通じて前記回路基板の下部から前記回路基板を貫通して、前記回路基板の上部に流動するようにすることを特徴とする、請求項３に記載のプラズマ表示装置。
【請求項５】
前記換気口は、矩形形状またはスリット形状をしていることを特徴とする、請求項１に記載のプラズマ表示装置。
【請求項６】
前記シャーシベッドは、
前記シャーシベースと平行に接着された第１面と、
前記第１面で直角に折り曲げられて前記シャーシベースに対して垂直に延びた第２面と、
前記第２面から直角に折り曲げられて前記シャーシベースから所定間隔離隔されて平行に延びる第３面と、で構成され、
前記換気口は、前記シャーシベッドの第２面上に設置されることを特徴とする、請求項１に記載のプラズマ表示装置。
【発明の詳細な説明】
【技術分野】
【０００１】
本発明は、プラズマ表示装置に係り、より詳細には、シャーシベッドによる密閉空間での空気の流動をさらに促進できる構造を有するシャーシベッドを備えたプラズマ表示装置に関する。
【背景技術】
【０００２】
図１は、従来のプラズマ表示装置の構成を示す分離斜視図であり、画像を具現するパネルは、前面基板１０と背面基板２０とが封着されてなり、前記パネルは、接着テープ２２を媒介としてシャーシベース３０に付着される。また、前記シャーシベース３０と背面基板２０との間には放熱シート２１が介在されて、パネルで発生した熱をシャーシベースに伝達させて熱放出を促進するか、あるいは前記パネル１０、２０上の一定の地域で発生した熱をパネルの他の地域に拡散させて、局部的な熱集中現象を防止する機能を行う。前記シャーシベース３０の後方面には各種回路基板５０が装着される。
【０００３】
このような従来のプラズマ表示装置において、パネルの電極は、テープ状のＴＣＰ(Tape Carriage Package)の信号伝達手段４５を通じて、バッファボードなどの回路基板５０に連結される。
【０００４】
この時、前記ＴＣＰなどの信号伝達手段４５には、集積回路、すなわち、ＩＣ(Integrated Circuit)の回路素子４６が実装されて、パネルからの、例えば、数十本の回路線が前記回路素子４６によって集積されて、例えば、数個の回路線に単純化されて、バッファボードの回路基板５０に連結される。例えば、ＴＣＰの一端部であるパネル電極連結端子が７２ピンであり、前記ＴＣＰの他端部であるバッファボード連結端子は８ピンである一つのＴＣＰに二つのＩＣが装着されたプラズマ表示装置が製作されて、常用化されている。
【０００５】
この場合、前記ＩＣの回路素子４６は、シャーシベース３０上に一般的にＺ字形状に２段折り曲げられて装着されたシャーシベッド４０上に、熱グリースなどを介して装着され、前記ＩＣの回路素子４６の上部にはカバープレート６０が装着される。
【０００６】
このような構造を持つプラズマ表示装置において、前記シャーシベースの端部は、シャーシベッドと結合されて密閉空間３５を画成し、前記信号伝達手段４５上に実装された回路素子４６で発生した熱の一部は、前記回路素子４６と接着されたシャーシベッド４０を通じて伝導されて、前記密閉空間３５内部の空気に対流される。
【０００７】
この時、既存のプラズマ表示パネルでのシャーシベッドの構造によれば、前記密閉空間内の空気は、前記シャーシベッドの横方向の両端部での開放部を通じてのみ流動可能なために、前記空気の流動に多くの空間的制限が加えられており、したがって、前記回路素子から発生した熱によって加熱された空気が冷却されるのには限界があり、さらに、前記回路素子の冷却効率が大きく落ちるという問題点があった。
【発明の開示】
【発明が解決しようとする課題】
【０００８】
本発明は、前記のような問題点を解決して、プラズマ表示パネルの信号伝達手段上に付着された回路素子から発生した熱によって加熱されたシャーシベッド密閉空間内の空気をさらに円滑に流動させることによって、前記空気の冷却を容易にし、さらに、前記回路素子から発生した熱の冷却効率を向上させることができるシャーシベッドを持つプラズマ表示装置を提供することを目的とする。
【課題を解決するための手段】
【０００９】
前記のような目的を達成するために、本発明の一実施形態によるプラズマ表示パネルは、プラズマ放電を利用して画像を表示するパネルと、前記パネルに結合されて前記パネルを支持するシャーシベースと、前記パネルの電極に所定の信号を印加するための回路基板と、前記パネルの電極と前記回路基板との電気的連結のために設置され、少なくとも一つの回路素子が実装された信号伝達手段と、前記信号伝達手段を支持するシャーシベッドと、を備え、前記シャーシベッドには、前記信号伝達手段に装着された回路素子から発生する熱を循環させるのに適した少なくとも一つの第１の換気口が形成されていることを特徴とする。
【発明の効果】
【００１０】
シャーシベッドが装着されたプラズマ表示装置によれば、ＴＣＰＩＣの回路素子から発生した熱がさらに効率的に放出されることによって、プラズマ表示装置の最大の問題点の一つであるＴＣＰＩＣなどの回路素子の過度発熱問題を解決して、前記回路素子の安定した作動を確保できる。
【発明を実施するための最良の形態】
【００１１】
以下、図面を参照して本発明の実施形態を詳細に説明する。
【００１２】
図２は、本発明の望ましい一実施形態によるプラズマ表示装置におけるシャーシベッドの構成を示す斜視図である。シャーシベース３０の少なくとも一つの端部には、図面のようにシャーシベッド４０が結合される。前記シャーシベッドは、パネル（図１の１０及び２０）に位置した複数個の電極を、シャーシベース３０の背面に位置した回路基板５０に電気的に連結させる信号伝達手段４５を支持する。ここで、前記信号伝達手段４５を通じて前記パネル上の電極と電気的に連結される回路基板５０は、一般的にバッファボードと呼ばれ、前記信号伝達手段４５としては、一般的にＴＣＰが使われる。
【００１３】
この時、前記ＴＣＰなどの信号伝達手段４５には、集積回路、すなわち、ＩＣ(Integrated Circuit)の形態としての回路素子４６が実装されて、パネル電極からの、例えば、数十個の回路線が前記ＩＣなどの回路素子４６によって集積されて、例えば、数個の回路線に単純化されてバッファボードなどの回路基板５０に連結される。
【００１４】
一方、前記ＴＣＰ ＩＣの回路素子４６では、その電気的抵抗によって多くの熱が発生するところ、前記熱は、一般的にシャーシベッド４０上に伝導され、前記シャーシベッド４０上の広い面積にわたって空気に対流される構造で冷却される。本発明は、前記シャーシベッド４０上に少なくとも一つの換気口４１を形成して、回路素子４６から伝導された熱が空気に対流される場合、さらに円滑な空気流動を確保して冷却を容易にするためのものである。すなわち、図３Ａの断面図を参照すれば、前記回路素子４６で発生した熱の一部は、前記シャーシベッド４０と前記シャーシベース３０との結合によって形成された密閉空間３５内の空気に対流されるところ、このような熱の伝達によって加熱された密閉空間３５内の空気は、前記シャーシベッド４０上に形成された少なくとも一つの換気口４１を通じて前記密閉空間３５から排出されうる。
【００１５】
一般的に、シャーシベース３０の端部と結合されるシャーシベッド４０は、２段折り曲げられて形成されるところ、この場合、シャーシベッド４０は３部分に区分される。すなわち、シャーシベース３０と平面的に接触する第１面４７と、前記第１面から直角に折り曲げられてシャーシベース３０に対して垂直に延びた第２面４８と、前記第２面から再び直角に折り曲げられてシャーシベースから所定間隔だけ離隔された状態に平行に延びて、ＴＣＰなどの信号伝達手段をその上部に支持する第３面４９と、を備える。この時、前記ＴＣＰＩＣなどの回路素子から発生した熱は、前記第３面にまず伝導され、それから第２面４８、第１面４７、シャーシベース３０に伝導される。
【００１６】
一方、本発明の技術的思想による一実施形態によれば、前記換気口４１は、前記シャーシベッド４０の第２面４８上に形成されることが望ましい。しかし、前記換気口４１が第１面上に形成されることもやはり可能である。この場合には、前記換気口４１は、前記シャーシベッドの第３面４９のうち前記信号伝達手段４５を接着されていない部分に形成することが望ましい。
【００１７】
また、図３Ａに示すように、前記シャーシベース３０の端部が折り曲げられて前記シャーシベッド４０の第３面と結合する場合、前記シャーシベース３０のうち、前記シャーシベッド４０の換気口４１と対向する面にも、やはり他の換気口、すなわち、第２の換気口３１が形成されることが望ましい。このような構造をとることにより、前記密閉空間３５内の空気の流動がさらに円滑になりうる。
【００１８】
また、前記換気口４１は、図面では矩形形状をとっているが、これもまた本発明の一実施形態に過ぎず、空気の流動を円滑にする構造ならば、その形状が、正四角形状、円形形状あるいはさらに他のいかなる多面体や不規則的な形状でも可能である。または、シャーシベッド４０の空間的構造を考慮して、スリット状の換気口４１を形成することもやはり可能である。
【００１９】
一方、前記密閉空間を抜け出した加熱された空気は、他の部位の空気に比べて密度が低くなった状態であり、したがって上部に移動する傾向を示す。一方、プラズマ表示装置の一般的設置構造によれば、シャーシベースが垂直的に配置され、したがって、上部に移動しようとする加熱された空気は、図３Ａでの矢印方向に移動し、このような空気は、バッファボードの回路基板５０とシャーシベース３０との間の空間を通じて上部への流動が円滑になる。すなわち、前記のようにＴＣＰＩＣの回路素子４６によって加熱された密閉空間３５内の空気が円滑に流動することによって、前記回路素子４６の冷却が促進され、それにより、前記回路素子４６の安定的作動を確保できる。
【００２０】
一方、本発明のさらに他の一実施形態に関する図３Ｂが、図３Ａと異なる点は、シャーシベース３０の端部が折り曲げられてシャーシベッド４０の第３面４９と結合して、密閉空間（図３Ａの３５）を画成しないという点である。しかし、密閉空間が画成されないこのような構造でも、前記シャーシベッド４０上に少なくとも一つの換気口４１を形成することにより、前記回路素子４６からの熱によって加熱された空気がさらに円滑に流動できるという点は、前述した通りである。
【００２１】
前記のように、シャーシベッド４０の構造及び前記シャーシベッド４０の換気口４１の配置は、本発明を説明するための一実施形態として提供されたものであり、前述したものと異なるシャーシベッドの構成及びそれによる換気口の異なる配置であっても、それが、シャーシベッドとシャーシベースとの間の密閉空間または開放空間内の空気をシャーシベースの上面に向かって円滑に流動させるものならば、いずれも本発明の技術的思想範囲内であるということはいうまでもない。
【００２２】
なお、本発明のさらに他の好ましい実施形態に関する図４、図５Ａ及び図５Ｂを参照すれば、バッファボードの回路基板５０上にさらに他の換気口、すなわち、第３の換気口５５が形成されているという点を除いては、図３を参照して説明した前述した発明と同一である。すなわち、この場合、前記回路素子４６によって加熱された空気は、前記回路基板５０と前記シャーシベース３０との間を通じてシャーシベース３０の上部に向かって流動させるだけでなく、その過程で、前記バッファボードのような回路基板５０上に形成された第３の換気口５５を通じて、前記回路基板５０を貫通して流動させて、結果的に、前記回路素子４６から発生した熱をさらに効率的に発散させることができる。
【００２３】
図５Ｂは、シャーシベース３０の端部が折り曲げられていないということを除いては、図５Ａと同一であり、これは、図３Ｂの図３Ａとの関係についての説明で代替できる。
【００２４】
このような換気口３１、４１及び５５が提供形成されたシャーシベッド４０及び回路基板５０を備えるプラズマ表示装置によれば、前記ＴＣＰＩＣの回路素子４６から発生した熱によって加熱された空気が、前記換気口３１、４１及び５５を通じて円滑に流動することにより、ＴＣＰＩＣの回路素子の放熱を促進させることができる。ＴＣＰＩＣの過度発熱は、特にシングルスキャン方式のプラズマ表示装置においてさらに問題になるが、本発明は、このようなシングルスキャン方式のプラズマ表示装置にのみ限定されるものではなく、デュアルスキャン方式のプラズマ表示装置においても、ＴＣＰＩＣの回路素子の放熱が問題になるかぎり、当然に適用可能である。
【００２５】
本発明は、図面に示した実施形態を参考に説明してきたが、これは例示的なものに過ぎず、当業者ならば、これより多様な変形及び均等な他の実施形態が可能であるという点を理解できる。したがって、本発明の真の技術的保護範囲は、特許請求の範囲の技術的思想によって定められねばならない。
【産業上の利用可能性】
【００２６】
本発明は、シャーシベッドが装着されたプラズマ表示装置の関連技術分野に好適に用いられる。
【図面の簡単な説明】
【００２７】
【図１】従来のプラズマ表示装置の概略的構成を示す分離斜視図である。
【図２】本発明の実施形態によるシャーシベッドが装着されたシャーシベース端部の斜視図である。
【図３Ａ】図２に示すシャーシベース端部の断面図である。
【図３Ｂ】図２に示すシャーシベース端部の断面図である。
【図４】本発明のさらに他の実施形態によるシャーシベッドが装着されたシャーシベース端部の斜視図である。
【図５Ａ】図４に示すシャーシベース端部の断面図である。
【図５Ｂ】図４に示すシャーシベース端部の断面図である。
【符号の説明】
【００２８】
３０  シャーシベース
３５  密閉空間
４０  シャーシベッド
４１  換気口
４５  信号伝達手段
４６  回路素子
４７  第１面
４８  第２面
４９  第３面
５０  回路基板
【図１】
2006189865.tif 000003
【図２】
2006189865.tif 000004
【図３Ａ】
2006189865.tif 000005
【図３Ｂ】
2006189865.tif 000006
【図４】
2006189865.tif 000007
【図５Ａ】
2006189865.tif 000008
【図５Ｂ】
2006189865.tif 000009